(57)【要約】【課題】接続された照明器具のそれぞれの電源を個別に制御することにより、待機電力を削減することができる照明バトンを提供する。【解決手段】実施形態に係る照明バトン６ａは、外部からの制御信号に基づいて、少なくとも１つ以上のＬＥＤ照明負荷への電源の供給のオンまたはオフを切り替える少なくとも１つ以上のリレー２３ａ〜２３ｅを備える。【選択図】図１
2014186842.tif 000002
【特許請求の範囲】
【請求項１】
少なくとも１つ以上の照明負荷が接続される照明バトンであって、
外部からの制御信号に基づいて、前記少なくとも１つ以上の照明負荷への電源の供給のオンまたはオフを切り替える少なくとも１つ以上の切替部を備えることを特徴とする照明バトン。
【請求項２】
前記少なくとも１つ以上の照明負荷への電源の供給のオンまたはオフの状態を出力する出力部を備えることを特徴とする請求項１に記載の照明バトン。
【請求項３】
前記少なくとも１つ以上の照明負荷の漏電を検知する漏電検知部を備えることを特徴する請求項１または２に記載の照明バトン。
【請求項４】
前記漏電検知部が前記少なくとも１つ以上の照明負荷の漏電を検知した場合、前記切替部は、前記外部からの制御信号に基づいて、漏電を検知した照明負荷への電源の供給をオフすることを特徴とする請求項３に記載の照明バトン。
【発明の詳細な説明】
【技術分野】
【０００１】
本発明の実施形態は、照明バトンに関する。
【背景技術】
【０００２】
従来、ホールまたは劇場等の屋内施設には、複数の照明器具を所望の明るさで調光する照明制御システムが設置されている。この照明制御システムでは、取り付け口が複数設けられた照明バトンに複数の照明器具が取り付けられ、この照明バトンが天井からワイヤーロープ等によって吊り下げられ、昇降されることにより、照明器具の高さが調整される。
【０００３】
近年、照明バトンに接続する照明器具としてＬＥＤ照明器具が用いられるようになっている。このＬＥＤ照明器具は、調光操作卓からの調光信号を受け取り、その調光信号に応じた０％〜１００％の調光を行う。また、ＬＥＤ照明器具は、必要により姿勢制御信号を受け取り、照明方向等を変更可能にしている。
【０００４】
しかしながら、従来の照明バトンは、照明バトン単位で電源のＯＮ／ＯＦＦすることができたが、照明バトンに接続された照明器具毎に個別に電源をＯＮ／ＯＦＦすることができなかった。この理由は、従来のこの種の照明器具は、光源として電球を用いるものが多く、電球の調光は照明バトンとは別設された調光器で行っていたためである。すなわち、前記調光器で照明器具をＯＮ／ＯＦＦすればよいと考えられていた。
【０００５】
ＬＥＤ照明器具は、ＬＥＤと、ＬＥＤを点灯制御する点灯回路とにより構成されており、電源がＯＮになっていると、点灯されていない状態でも点灯回路が動作することにより、待機電力を消費してしまう。すなわち、従来の照明バトンは、ＬＥＤ照明器具の電源を個別にＯＮ／ＯＦＦすることができないと、待機電力が増大するという問題があった。
【先行技術文献】
【特許文献】
【０００６】
【特許文献１】特開平１０−９７８９６号公報
【発明の概要】
【発明が解決しようとする課題】
【０００７】
実施形態は、上述した事情に鑑みてなされたもので、接続された照明器具のそれぞれの電源を個別に制御することにより、待機電力を削減することができる照明バトンを提供することを目的とする。
【課題を解決するための手段】
【０００８】
実施形態に係る照明バトンは、少なくとも１つ以上の照明負荷が接続される照明バトンであって、外部からの制御信号に基づいて、前記少なくとも１つ以上の照明負荷への電源の供給のオンまたはオフを切り替える少なくとも１つ以上の切替部を備える。
【発明の効果】
【０００９】
実施形態によれば、接続された照明器具のそれぞれの電源を個別に制御することにより、待機電力を削減することができる。
【図面の簡単な説明】
【００１０】
【図１】本実施の形態に係る照明バトンを有する照明制御システムの構成を示す図である。
【図２】ＬＥＤ照明器具７ａの詳細な構成について説明するための図である。
【図３】ＬＥＤ点灯回路３１の詳細な構成について説明するための図である。
【発明を実施するための形態】
【００１１】
実施形態に係る照明バトンは、少なくとも１つ以上の照明負荷が接続される照明バトンであって、外部からの制御信号に基づいて、少なくとも１つ以上の照明負荷への電源の供給のオンまたはオフを切り替える少なくとも１つ以上の切替部を備える。
【００１２】
このような構成によれば、接続された照明負荷のそれぞれの電源を個別に制御することにより、待機電力を削減することができる。
【００１３】
実施形態の照明負荷は、ＬＥＤ照明器具であるが、これに限定されるものではなく、点灯回路を備える照明器具であればよい。
【００１４】
また、実施形態に係る照明バトンは、少なくとも１つ以上の照明負荷への電源の供給のオンまたはオフの状態を出力する出力部を備える。
【００１５】
このような構成によれば、操作者は照明負荷への電源の供給のオンまたはオフの状態を容易に把握することができる。
【００１６】
また、実施形態に係る照明バトンは、少なくとも１つ以上の照明負荷の漏電を検知する漏電検知部を備える。
【００１７】
このような構成によれば、漏電の発生したＬＥＤ照明器具を特定することが可能となる。
【００１８】
また、実施形態に係る照明バトンは、漏電検知部が少なくとも１つ以上の照明負荷の漏電を検知した場合、切替部は、外部からの制御信号に基づいて、漏電を検知した照明負荷への電源の供給をオフする。
【００１９】
このような構成によれば、照明バトンに接続された少なくとも１つ以上の照明負荷の電源を全てオフする必要がなく、かつ、安全性も向上させることができる。
【００２０】
以下、図面を参照して本発明の実施の形態について詳細に説明する。
【００２１】
まず、図１に基づき、本発明の実施の形態に係る照明バトンを有する照明制御システムの構成について説明する。
【００２２】
図１は、本実施の形態に係る照明バトンを有する照明制御システムの構成を示す図である。
【００２３】
図１に示すように、照明制御システム１は、ホールまたは劇場等の屋内施設に配置されるシステムであって、調光操作卓２と、制御監視装置３と、照明用電源４と、複数のスイッチ５ａ、５ｂ、・・・と、複数の照明バトン６ａ、６ｂ、・・・と、複数のＬＥＤ照明器具７ａ〜７ｅと、電源ケーブル８と、ＤＭＸケーブル９とを有して構成されている。
【００２４】
調光操作卓２は、操作部１１と、調光信号出力部１２と、制御部１３と、表示部１４と、音声出力部１５とを有して構成されている。また、照明バトン６ａは、通信装置２１と、リレー制御装置２２と、複数のリレー２３ａ〜２３ｅと、複数のリーク電流検知装置２４ａ〜２４ｅと、漏電監視装置２５と、コンセント等の複数の取付け部２６ａ〜２６ｅとを有して構成されている。なお、照明バトン６ｂを含む他の複数の照明バトンも照明バトン６ａと同様の構成となっている。
【００２５】
照明バトン６ａの取付け部２６ａ〜２６ｅには、それぞれＬＥＤ照明器具７ａ〜７ｅが取り付けられる。ＬＥＤ照明器具７ａ〜７ｅが取り付けられた照明バトン６ａは、屋内施設の天井等に図示しないワイヤーロープを介して吊り下げられる。そして、照明バトン６ａは、ワイヤーロープを上下動させることで、天井等からの位置が調整される。なお、照明バトン６ａに取り付けられるＬＥＤ照明器具７ａ〜７ｅの個数は、５つに限定されることなく、４つ以下、あるいは、６つ以上であってもよい。
【００２６】
照明用電源４は、照明バトン６ａに取り付けられたＬＥＤ照明器具７ａ〜７ｅ、及び、照明バトン６ｂに取り付けられた図示しないＬＥＤ照明器具に、電源ケーブル８を介して電源を供給する。
【００２７】
スイッチ５ａ、５ｂ、・・・は、それぞれ照明バトン６ａ、６ｂ、・・・全体の電源のＯＮまたはＯＦＦを行う。例えば、スイッチ５ａをＯＮすることで、照明バトン６ａ全体の電源をＯＮし、スイッチ５ａをＯＦＦすることで、照明バトン６ａ全体の電源をＯＦＦすることができる。
【００２８】
電源ケーブル８は、スイッチ５ａを介して、照明バトン６ａ内に収納され、配線される。照明バトン６ａ内に配線された電源ケーブル８には、並列にリレー２３ａ〜２３ｅが設けられ、これらのリレー２３ａ〜２３ｅを介してＬＥＤ照明器具７ａ〜７ｅに照明用電源４からの電源が供給される。
【００２９】
リレー制御装置２２は、リレー２３ａ〜２３ｅのＯＮ／ＯＦＦを制御することにより、リレー２３ａ〜２３ｅを介して接続されているＬＥＤ照明器具７ａ〜７ｅの電源のＯＮ／ＯＦＦを個別に制御する。ＬＥＤ照明器具７ａ〜７ｅの電源のＯＮ／ＯＦＦを個別に制御することは、調光操作卓２の操作部１１により行われる。
【００３０】
操作者がＬＥＤ照明器具７ａ〜７ｅのＯＮ／ＯＦＦを個別に制御するための操作を操作部１１で行うと、ＯＮ／ＯＦＦ制御信号が制御監視装置３に出力される。制御監視装置３は、照明バトン６ａ、６ｂ、・・・を制御及び監視する。制御監視装置３は、例えば、照明バトン６ａに取り付けられているＬＥＤ照明器具７ａ〜７ｅの電源のＯＮ／ＯＦＦを制御する場合、調光操作卓２からのＯＮ／ＯＦＦ制御信号を照明バトン６ａの通信装置２１に出力する。
【００３１】
通信装置２１は、制御監視装置３とリレー制御装置２２との間、及び、制御監視装置３と漏電監視装置２５との間の通信を行う。通信装置２１は、制御監視装置３からのＯＮ／ＯＦＦ制御信号をリレー制御装置２２に出力する。これにより、リレー制御装置２２により、上述したリレー２３ａ〜２３ｅのＯＮ／ＯＦＦの制御が行われる。このように、リレー２３ａ〜２３ｅのそれぞれは、調光操作卓２からのＯＮ／ＯＦＦ制御信号に基づいて、ＬＥＤ照明器具７ａ〜７ｅへの電源の供給のオンまたはオフを切り替える切替部を構成する。しかし、切替部は、半導体スイッチ素子等、他の手段を用いて構成してもよい。
【００３２】
また、リレー制御装置２２は、リレー２３ａ〜２３ｅのＯＮ／ＯＦＦの状態を監視し、ＬＥＤ照明器具７ａ〜７ｅへの電源の供給のオンまたはオフの状態を通信装置２１を介して制御監視装置３に出力する。このように、リレー制御装置２２は、ＬＥＤ照明器具７ａ〜７ｅへの電源の供給のオンまたはオフの状態を出力する出力部を構成する。
【００３３】
制御監視装置３は、リレー２３ａ〜２３ｅのＯＮ／ＯＦＦの状態を調光操作卓２に出力する。調光操作卓２の制御部１３は、リレー２３ａ〜２３ｅのＯＮ／ＯＦＦの状態を、例えば表示部１４に表示する制御を行う。
【００３４】
また、リレー２３ａ〜２３ｅとＬＥＤ照明器具７ａ〜７ｅとの間には、それぞれリーク電流検知装置２４ａ〜２４ｅが設けられている。リーク電流検知装置２４ａ〜２４ｅは、それぞれ照明バトン６ａに取り付けられたＬＥＤ照明器具７ａ〜７ｅのリーク電流を検知し、漏電監視装置２５に出力する。
【００３５】
漏電監視装置２５は、リーク電流検知装置２４ａ〜２４ｅが検知したリーク電流に基づいて、ＬＥＤ照明器具７ａ〜７ｅのそれぞれが漏電しているか否かを監視する。漏電監視装置２５は、ＬＥＤ照明器具７ａ〜７ｅのいずれかが漏電している場合、その漏電しているＬＥＤ照明器具の情報を通信装置２１を介して、制御監視装置３に出力する。このように、リーク電流検知装置２４ａ〜２４ｅ及び漏電監視装置２５は、ＬＥＤ照明器具７ａ〜７ｅの漏電を検知する漏電検知部を構成する。
【００３６】
制御監視装置３は、漏電しているＬＥＤ照明器具の情報を調光操作卓２に出力する。調光操作卓２の制御部１３は、漏電しているＬＥＤ照明器具の情報を、例えば表示部１４に表示する、あるいは、漏電しているＬＥＤ照明器具の情報を音声出力部１５から音声で出力する制御を行う。
【００３７】
また、調光操作卓２は、漏電しているＬＥＤ照明器具が特定されると、漏電しているＬＥＤ照明器具が接続されているリレーをＯＦＦにするためのＯＮ／ＯＦＦ制御信号を、制御監視装置３に出力する。例えば、ＬＥＤ照明器具７ａに漏電が発生している場合、リレー２３ａをＯＦＦにするためのＯＮ／ＯＦＦ制御信号が制御監視装置３に出力される。このＯＮ／ＯＦＦ制御信号は、通信装置２１を介してリレー制御装置２２に出力される。リレー制御装置２２は、このＯＮ／ＯＦＦ制御信号に基づいて、漏電しているＬＥＤ照明器具７ａが接続されているリレー２３ａをＯＦＦする。
【００３８】
調光操作卓２は、ＬＥＤ照明器具７ａ〜７ｅを所望の明るさの調光状態に操作するための操作器であり、操作者の操作部１１の操作に応じた調光信号（ＤＭＸ）を、ＤＭＸケーブル９を介してＬＥＤ照明器具７ａ〜７ｅに伝送する。例えば、この調光信号の伝送は、ＤＭＸ５１２（１９９０）（米国劇場技術協会（ＵＳＩＴＴ）規格）の規格に沿った形式で行われる。
【００３９】
ＤＭＸケーブル９は、照明バトン６ａ、６ｂ、・・・内に収納され、配線される。これにより、照明バトン６ａに接続されたＬＥＤ照明器具７ａ〜７ｅ、及び、照明バトン６ｂに接続された図示しないＬＥＤ照明器具に調光信号を伝送する。
【００４０】
照明負荷としてのＬＥＤ照明器具７ａ〜７ｅは、調光信号出力部１２から出力された調光信号に応じて定められたデューティ比のＰＷＭ信号を生成することで、調光信号に応じた明るさで照明する。なお、照明バトン６ａに接続される照明負荷は、ＬＥＤ照明器具７ａ〜７ｅに限定されるものではなく、点灯回路を備える照明器具であっても、点灯回路を備えない照明器具であってもよい。
【００４１】
ここで、ＬＥＤ照明器具の詳細な構成について説明する。なお、ＬＥＤ照明器具７ａ〜７ｅは同様の構成のため、ＬＥＤ照明器具７ａを例にして説明する。
【００４２】
図２は、ＬＥＤ照明器具７ａの詳細な構成について説明するための図である。
【００４３】
図２に示すように、ＬＥＤ照明器具７ａは、ＬＥＤ点灯回路３１及びＬＥＤ３２を有して構成されている。ＬＥＤ点灯回路３１には、照明用電源４からの電源（交流１００Ｖ）と、調光信号出力部１２からの調光信号（ＤＭＸ）とが入力される。ＬＥＤ点灯回路３１は、後述するように、交流電源を直流電源に変換した後、変換した直流電源を降圧する。そして、ＬＥＤ点灯回路３１は、調光信号に応じて定められたデューティ比のＰＷＭ信号を生成し、このＰＷＭ信号により直流電源のＯＮ／ＯＦＦを制御することで、ＬＥＤ３２を所望の明るさで点灯させる。
【００４４】
ここで、ＬＥＤ点灯回路３１の詳細な構成について説明する。図３は、ＬＥＤ点灯回路３１の詳細な構成について説明するための図である。
【００４５】
図３に示すように、ＬＥＤ点灯回路３１は、整流器３３と、コンデンサ３４と、ＤＣ／ＤＣコンバータ３５及び３６と、電圧監視部３７と、制御部３８と、スイッチ３９とを有して構成されている。
【００４６】
整流器３３には照明用電源４から交流１００Ｖが入力される。整流器３３は、入力された交流１００Ｖを脈流電圧に変換して出力する。整流器３３から出力された脈流電圧は、コンデンサ３４で平滑化された後、ＤＣ／ＤＣコンバータ３５及び３６に入力される。
【００４７】
ＤＣ／ＤＣコンバータ３５は、入力された直流１４０Ｖを例えば直流１２Ｖに降圧してスイッチ３９に出力する。同様に、ＤＣ／ＤＣコンバータ３６は、入力された直流１４０Ｖを例えば直流１２Ｖに降圧して制御部３８に出力する。
【００４８】
電圧監視部３７は、ＤＣ／ＤＣコンバータ３５から出力された電圧を監視し、制御部３８に出力する。制御部３８は、電圧監視部３７からの監視信号に基づき、出力が直流１２ＶとなるようにＤＣ／ＤＣコンバータ３５を制御する。
【００４９】
また、制御部３８には、調光信号が入力されている。制御部３８は、入力された調光信号に応じて定められたデューティ比のＰＷＭ信号を生成し、スイッチ３９に出力する。スイッチ３９は、このＰＷＭ信号に基づいてＯＮ／ＯＦＦを行い、入力された直流１２ＶをＬＥＤ３２に出力する。これにより、ＬＥＤ３２は、調光０％〜１００％で照明する。
【００５０】
従来では、このように構成されたＬＥＤ照明器具７ａ〜７ｅの電源を個別にＯＮ／ＯＦＦすることができず、スイッチ５ａを用いて照明バトン６ａ単位で電源をＯＮ／ＯＦＦするようになっていた。例えば、ＬＥＤ照明器具７ａを個別にＯＮ／ＯＦＦする場合、ＬＥＤ照明器具７ａの制御部３８において、スイッチ３９を常にＯＦＦにするＰＷＭ信号を生成し、スイッチ３９に出力することで、ＬＥＤ３２の調光を０％にしていた。しかしながら、ＬＥＤ照明器具７ａをＯＦＦしている場合も、制御部３８に常に電源が供給されるため、ＬＥＤ照明器具７ａにおいて待機電力が発生していた。
【００５１】
これに対し、本実施の形態の照明バトン６ａでは、ＬＥＤ照明器具７ａ〜７ｅに接続されるリレー２３ａ〜２３ｅのＯＮ／ＯＦＦをリレー制御装置２２に制御することにより、ＬＥＤ照明器具７ａ〜７ｅの電源を個別にＯＮ／ＯＦＦできるようにしている。例えば、リレー２３ａをＯＦＦすることにより、ＬＥＤ照明器具７ａをＯＦＦすることができる。この場合、ＬＥＤ照明器具７ａのＬＥＤ点灯回路３１に照明用電源４からの電源の供給が停止する。これにより、ＬＥＤ点灯回路３１の制御部３８への電源の供給が停止するため、ＬＥＤ照明器具７ａにおいて待機電力が発生しなくなる。この結果、照明バトン６ａは、接続されたＬＥＤ照明器具７ａ〜７ｅを個別に電源をＯＮ／ＯＦＦすることにより、待機電力を削減することができるようになる。
【００５２】
よって、本実施の形態の照明バトンによれば、接続された照明器具のそれぞれの電源を個別に制御することにより、待機電力を削減することができる。
【００５３】
また、本実施の形態の照明バトン６ａは、リーク電流検知装置２４ａ〜２４ｅ及び漏電監視装置２５により、接続されたＬＥＤ照明器具７ａ〜７ｅの漏電の監視を個別に行うようにしている。そして、照明バトン６ａは、漏電の発生したＬＥＤ照明器具を特定すると、そのＬＥＤ照明器具に接続されているリレーをＯＦＦすることで、漏電の発生したＬＥＤ照明器具の電源のみをＯＦＦすることができる。これにより、照明バトン６ａは、接続されたＬＥＤ照明器具７ａ〜７ｅのいずれかに漏電が発生した場合、照明バトン６ａに接続されたＬＥＤ照明器具７ａ〜７ｅの電源を全てＯＦＦすることなく、照明への影響を最小にして、安全性を向上させることができる。
【００５４】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５５】
１…照明制御システム、２…調光操作卓、３…制御監視装置、４…照明用電源、５ａ，５ｂ…スイッチ、６ａ，６ｂ…照明バトン、７ａ〜７ｅ…ＬＥＤ照明器具、８…電源ケーブル、９…ＤＭＸケーブル、１１…操作部、１２…調光信号出力部、１３…制御部、１４…表示部、１５…音声出力部、２１…通信装置、２２…リレー制御装置、２３ａ〜２３ｅ…リレー、２４ａ〜２４ｅ…リーク電流検知装置、２５…漏電監視装置、２６ａ〜２６ｅ…取付け部、３１…ＬＥＤ点灯回路、３２…ＬＥＤ、３３…整流器、３４…コンデンサ、３５，３６…ＤＣ／ＤＣコンバータ、３７…電圧監視部、３８…制御部、３９…スイッチ。
【図１】
2014186842.tif 000003
【図２】
2014186842.tif 000004
【図３】
2014186842.tif 000005